(57)【特許請求の範囲】
【請求項１】
ユーザ設備ＵＥが、ネットワーク側からメッセージを受け、
前記UEが、前記メッセージによってコンポーネントキャリアおよび測定対象のうちの少なくとも一方がトリガ測定送信条件を満足するかどうかを判断し、
判断結果が「はい」である場合、前記UEが測定メッセージを通じて少なくとも一つのコンポーネントキャリアの測定量および少なくとも一つの測定対象の測定量のうちの少なくとも一方を前記ネットワーク側に送信し、
前記UEがトリガ送信条件を満足する搬送波又は測定対象により指示された周波数点の測定量を前記ネットワーク側に送信し、かつその他の搬送波又は測定対象により指示された周波数点の中でプリセット設定を満足する搬送波又は測定対象により指示された周波数点の測定量を前記ネットワーク側に送信することを含み、
前記プリセット設定は、
測定量が送信リストのアクセス条件を満足しているが、TimeToTriggerの時間を満足していないこと、
測定量がトリガ送信条件を満足しているが、相変わらず前記送信リストにあること、又は、
測定量が送信リストのアクセス条件を満足していないのと同時に、TimeToTriggerの時間を満足していないこと
を含むことを特徴とする搬送波アグリゲーションシステムの測定送信方法。
【請求項２】
ユーザ設備ＵＥが、ネットワーク側からメッセージを受け、
前記UEが、前記メッセージによってコンポーネントキャリアおよび測定対象のうちの少なくとも一方がトリガ測定送信条件を満足するかどうかを判断し、
判断結果が「はい」である場合、前記UEが測定メッセージを通じて少なくとも一つのコンポーネントキャリアの測定量および少なくとも一つの測定対象の測定量のうちの少なくとも一方を前記ネットワーク側に送信し、
前記UEが測定参考周波数点の方式を通じて少なくとも一つのコンポーネントキャリアの測定量および少なくとも一つの測定対象の測定量のうちの少なくとも一方を前記ネットワーク側に送信することを含むことを特徴とする搬送波アグリゲーションシステムの測定送信方法。
【請求項３】
前記UEが前記測定参考周波数点を確定すること、又は、
前記ネットワーク側が前記測定参考周波数点を確定し、前記測定参考周波数点を前記UEに通知することを含むことを特徴とする請求項２記載の方法。
【請求項４】
前記測定参考周波数点の確定方式は、測定されたコンポーネントキャリアおよび周波数点のうちの少なくとも一方が同一の周波数バンドに処しているかどうかによって前記測定参考周波数点を確定することを特徴とする請求項３記載の方法。
【請求項５】
ネットワーク側からのメッセージを受信するための受信モジュールと、
前記受信モジュールによって受信されたメッセージによってコンポーネントキャリアおよび測定対象のうちの少なくとも一方がトリガ測定送信条件を満足するかを判断するための判断モジュールと、
前記判断モジュールの判断結果が「はい」である場合、測定メッセージを通じて少なくとも一つのコンポーネントキャリアの測定量および少なくとも一つの測定対象の測定量のうちの少なくとも一方を前記ネットワーク側に送信するための送信モジュールとを含み、
前記送信モジュールはトリガ送信条件を満足する搬送波又は測定対象により指示された周波数点の測定量を前記ネットワーク側に送信し、かつその他の搬送波又は測定対象により指示された周波数点の中でプリセット設定を満足する搬送波又は測定対象により指示された周波数点の測定量を前記ネットワーク側に送信するために使用され、
前記プリセット設定は、
測定量が送信リストのアクセス条件を満足しているが、TimeToTriggerの時間を満足していないこと、
測定量がトリガ送信条件を満足しているが、相変わらず前記送信リストにあること、又は、
測定量が送信リストのアクセス条件を満足していないと同時に、TimeToTriggerの時間を満足していないことを含むことを特徴とする搬送波アグリゲーションシステムの測定送信設備。
【請求項６】
ネットワーク側からのメッセージを受信するための受信モジュールと、
前記受信モジュールによって受信されたメッセージによってコンポーネントキャリアおよび測定対象のうちの少なくとも一方がトリガ測定送信条件を満足するかを判断するための判断モジュールと、
前記判断モジュールの判断結果が「はい」である場合、測定メッセージを通じて少なくとも一つのコンポーネントキャリアの測定量および少なくとも一つの測定対象の測定量のうちの少なくとも一方を前記ネットワーク側に送信するための送信モジュールとを含み、
前記送信モジュールも、測定参考周波数点の方式で少なくとも一つのコンポーネントキャリアの測定量および少なくとも一つの測定対象の測定量のうちの少なくとも一方を前記ネットワーク側に送信するために使用されることを特徴とする搬送波アグリゲーションシステムの測定送信設備。
【請求項７】
前記測定参考周波数点の取得方式は、
前記UEにより確定された前記測定参考周波数点又は前記ネットワーク側により確定され、前記UEに通知された前記測定参考周波数点を含むことを特徴とする請求項６記載の設備。
【請求項８】
前記測定参考周波数点の確定方式は測定されたコンポーネントキャリアおよび周波数点のうちの少なくとも一方が同一の周波数バンドに処しているかどうかによって前記測定参考周波数点を測定することを含むことを特徴とする請求項７記載の設備。
【発明の詳細な説明】
【技術分野】
【０００１】
本出願は、２００９年１２月８日に中国特許局に提出され、申請番号が２００９１０２４２２７９．３で、発明の名称が「一種の搬送波アグリゲーションシステムの測定送信方法と設備」の中国特許申請の優先権で、内容全体は引用により本出願に導入される。
【０００２】
本発明は、通信技術分野、特に一種の搬送波アグリゲーションシステムの測定送信方法と設備に係る。
【背景技術】
【０００３】
LTE（Long Term Evolution、長期進化）は３G（３rd Generation、第三世代デジタル通信）の進化で、LTEは３Gの空中アクセス技術を改善・強化し、OFDM（Orthogonal Frequency Division Multiplexing、直交周波数分割多重化）とMIMO（Multiple Input Multiple Output、多重入力多重出力）を当該LTE無線ネットワーク進化の標準とする。この中で、LTEシステム及びこの前の無線通信システムの中で、一つのセルの中に一つの搬送波しかなく、図１に示すように、LTEシステムでの最大帯域幅が２０MHzであるが、２０MHzの周波数スペクトル帯域幅の下で、LTEは下り１００Mbit/sと上り５０Mbit/sのピーク速度を提供でき、セル縁ユーザの性能を向上でき、それにセル容量を向上し、システム遅延を低減する。その上、LTEシステムでは、UE（User Equipment、ユーザ設備）は一つの搬送波によってしか作動できず、また、一つのLTEセルには一つの搬送波しかなく、各LTEセルは一つのネットワークでの唯一の番号で標識される。UEは同じ時刻で一つのセルだけでデータ受信を実施できて、当該セルもUEのサービスセルと称される。
【０００４】
移動端末ユーザ数の速い増加につれて、端末ユーザの業務容量は指数的に増加し、継続的に増加している端末ユーザの業務ニーズを満足するために、端末ユーザの業務と応用に必要なより高いピーク速度を満足するために一層大きい帯域幅を提供する必要がある。LTE-A（LTE-Advanced、アドバンスLTE）システムでは、システムのピーク速度はLTEより大きく向上し、下り１Gbps、上り５００Mbpsに達することを要求する。この時に、最大帯域幅が２０MHzである搬送波を一つだけ使用すると、明らかにピーク速度要求を満足できない。従って、LTE-Aシステムに、端末ユーザが使用できる帯域幅を拡張する必要がある。ここで、CA（Carrier Aggregation、搬送波アグリゲーション）技術を導入し、即ち、同一の地理的位置で、同時に複数のUEが搬送波アグリゲーション技術を通じて同時にデータを受信する又はデータを送信するセルがあり、これと同時に各セルに少なくとも一つ（又はペア）の独立に送信する搬送波がある。
【０００５】
具体的には、アグリゲーションできる複数のセルで同じPCI（Physical Layer Cell ID、物理層セル標識）を使用でき、相違点が各セル間の搬送波周波数の違いとCGI（Cell Global ID、グローバルセル標識）の違いである。CGIはECGIとも言われる、即ちE-UTRAN（Evolved Universal Terrestrial Radio Access Network、進化的UMTS無線アクセス網）の Cell Global IDである。UEは、複数のアグリゲーションできるセルでの複数（ペア）の搬送波の上に同時にデータ受信と送信が実施できるので、データ伝送速度は向上する。LTEシステムのUEがアグリゲーションする各搬送波の下で動作することを保証する場合、各搬送波が最大２０MHzを超えないことである。LTE-Aシステムでの搬送波アグリゲーション技術は図２に示すように、LTE-Aの基地局には、四つのアグリゲーションできる搬送波があり、基地局が同時に四つの搬送波と同一のUEでデータ伝送を行えるので、ユーザのデータ伝送速度は向上する。
【０００６】
LTE-Aシステムでは、アグリゲーションできる搬送波に対して、UEにサービスする前又はサービスしている間、アグリゲーションできる搬送波のチャンネル品質に対して評価を行い、その評価によって、基地局により搬送波管理（Carrier management）を行い、当該アグリゲーション可能搬送波を利用してデータを送信するかしないかを決める。例えば、ある搬送波のチャンネル品質が良く、搬送波アグリゲーション条件を満足する場合、UEが大きなデータ量の業務伝送を必要とする時、基地局は当該搬送波上に搬送波アグリゲーション方式でUEにデータ伝送サービスを提供できる。UEが搬送波アグリゲーション伝送を行っているが、あるUEにサービスするアグリゲーション搬送波チャンネルの品質が悪くなり、設定された条件を満足できない場合、基地局は当該搬送波を活性化または削除することができるが、これを利用してUEにサービスを提供せず、これと同時に設定された条件を満足する且つ品質の良いその他のチャンネルを活性化して、UEにサービスを提供できる。
【０００７】
更に、当面のLTE-Aシステムでは、各セルごとに独自に運行できる搬送波が一つだけ（又はペア）であり、また唯一のCGIで識別される。図３に示すように、セル１の搬送波周波数点がf１、セル２の搬送波周波数点がf２で、前記の二つの搬送波（それぞれ、セル１とセル２とに対応する）をアグリゲーションした後、ある端末にサービスを提供する。この時、セル１、セル２、及びセル３のチャンネル品質に対して評価する必要があり、これにより、基地局から搬送波管理を行い、端末へCA伝送を提供するためにアグリゲーション可能搬送波を利用して搬送波アグリゲーションを行うか行わないかを決める。
【０００８】
動作中、搬送波（セル１とセル２）とアグリゲーションできない搬送波（周波数点ともいう）（例えば、セル４とセル５）に対して、移動性測定を行うことによって、基地局により移動性管理（例えば、管理操作に切り替える）を行う。具体的には、基地局１の下でのセル１とセル２がチャンネル品質の悪さによって、端末にサービスを提供できないが、基地局２の下でのセル４とセル５のチャンネル品質が良く、引き続き端末にサービスを提供できる時、ネットワークは端末を基地局１のセル１とセル２から基地局２のセル４とセル５に切り替え、即ち、（多搬送波に）切替えることによって、CA伝送を継続し、それにより、端末に高速度の業務を提供することができる。
【０００９】
現行の技術では、チャンネル品質の評価プロセスはLTEシステムに基づき、基地局はRRC（Radio Resource Control、無線資源制御協議）信号経路を通じてUEに測定配置情報を送信し、UEは当該測定配置情報の内容によって測定（即ち、チャンネル品質に対して評価し、同一周波数、異なる周波数と異なる技術等測定プロセス）し、測定結果をネットワークに送信する。
【００１０】
図４に示すように、一種のネットワークに配置を測定する時、使用されたRRC接続再配置プロセスは、ネットワーク側E-UTRANがUEにRRC接続再配置（RRCConnectionReconfiguration）メッセージを送信する。UEがE-UTRANにRRC接続再配置完成（RRCConnectionReconfigurationComplete）メッセージを送信することを含む。RRC接続再配置メッセージの組織構造は測定対象（measurement object）、送信配置（report configuration）、測定標識（ID）及びその他のパラメータ等を含む。
【００１１】
それに応じて、測定送信は、事象トリガ送信、周期トリガ送信、及び事象トリガ周期送信という三種類のトリガ方式がある。前記三種類のトリガ方式は、送信配置での各種パラメータの組合せによって区分できる。例えば、送信配置でのトリガタイプが事象トリガで、それにある事象の閾値とトリガ条件を満足する持続時間等関連パラメータを配給したが、測定間隔又は送信回数等のパラメータを配置していない時、UEは一回事象トリガ方式によって送信する。
【００１２】
具体的には、各測定メッセージは測定標識の相応な内容を一つ送信できて、即ち、UEが所属するサービスセルの測定量及び測定対象により指示された周波数点の下で関連送信配置を満足するセルだけ送信する。
【００１３】
以上からまとめると、現行技術に下記の欠点は存在する、即ち、多搬送波システムで、UEが測定送信を行う時、UEのアグリゲーションするコンポーネントキャリアを送信する又はUEのアグリゲーションする搬送波の相応な隣セルの測定量を送信したい場合、各搬送波又は隣セルが所属する周波数点が一本の測定送信メッセージを使用する必要がある。UEのアグリゲーションする複数のコンポーネントキャリア又は複数の周波数点上の隣セルを全部送信する必要がある時、複数のメッセージを送信する必要がある。これで信号経路出費を増え、それにネットワーク側である搬送波送信時のUEのアグリゲーションするその他のコンポーネントキャリア上のチャンネル情報を了解できないので、搬送波アグリゲーション状況の下でUEコンポーネントキャリアの管理とUEの切り替え判断（移動性管理）に影響を与える。
【発明の概要】
【発明が解決しようとする課題】
【００１４】
本発明は搬送波アグリゲーションシステムの測定量送信方法と設備を提供することによって、搬送波アグリゲーション状況下で測定量送信時の信号経路出費を低減し、これにより、ネットワーク側でLTE-A UEの搬送波管理と移動性管理が便利になる。
【課題を解決するための手段】
【００１５】
前記目的を達成するために、本発明の搬送波アグリゲーションシステムの測定量送信方法は、下記の要素を含み、即ち、
ユーザ設備ＵＥがネットワーク側からのメッセージを受信し、
前記UEは前記メッセージによってコンポーネントキャリア及び/又は測定対象が測定量送信トリガ条件を満足するかどうか判断する。
【００１６】
判断結果が「はい」である場合、前記UEは測定量送信メッセージを通じて少なくとも一つのコンポーネントキャリアの測定量及び/又は少なくとも一つの測定対象の測定量を前記ネットワーク側に送信する。
【００１７】
本発明の搬送波アグリゲーションシステムの測定量送信設備は、下記要素を含み、即ち、
ネットワーク側からのメッセージを受信するための受信モジュールと、
前記受信モジュールにより受信されたメッセージによってコンポーネントキャリア及び/又は測定対象が測定量送信トリガ条件を満足するかどうか判断するための判断モジュールと、
前記判断モジュールの判断結果が「はい」である場合、測定メッセージを通じて少なくとも一つのコンポーネントキャリアの測定量及び/又は少なくとも一つの測定対象の測定量を前記ネットワーク側に送信するための送信モジュールとを含む。
【発明の効果】
【００１８】
現行技術と比べて、本発明の実施例は、少なくとも下記の有利な点を持ち、即ち、UEが複数の搬送波及び/又は周波数点の測定量を同時送信できるので、送信プロセスを簡素化させ、システム時間遅延を低減し、ネットワーク側でLTE-A UEが使用する搬送波の管理を実施できるようにする。
【図面の簡単な説明】
【００１９】
【図１】図１は、現行技術のLTEシステムで一つのセルに一つの搬送波しかない図である。
【図２】図２は、現行技術のLTE-Aの搬送波アグリゲーション技術の図である。
【図３】図３は、現行技術のLTE-Aシステムで搬送波アグリゲーション例の図である。
【図４】図４は、現行技術でネットワークの測定配置に使用されるRRC接続再配置プロセス図である。
【図５】図５は、本発明の実施形態１により提供された一種の搬送波アグリゲーションシステムの測定量送信方法のフローチャートである。
【図６】図６は、本発明の実施形態１での隣セルの図である。
【図７】図７は、本発明の実施形態２により提供された一種の搬送波アグリゲーションシステムの測定量送信方法のフローチャートである。
【図８】図８は、本発明の実施形態２により提供された一種の搬送波アグリゲーションシステムの測定量送信設備の構成図である。
【発明を実施するための形態】
【００２０】
本発明の実施例の中で、LTE-Aシステムに、コンポーネントキャリア及び/又は測定対象が送信トリガ条件を満足する時、UEが測定メッセージを通じて少なくとも一つのコンポーネントキャリアの測定量及び/又は少なくとも一つの測定対象の測定量を一緒に前記ネットワーク側に送信し、これにより、送信プロセスを簡素化し、システム時間遅延を低減し、ネットワーク側でLTE-A UEの使用する搬送波の管理を実施できるようにする。
【００２１】
図５に示すように、本発明に係る実施形態１の搬送波アグリゲーションシステムの測定量送信方法は下記の手順を含む。
【００２２】
手順５０１、ユーザ設備ＵＥがネットワーク側からのメッセージを受信する。
【００２３】
手順５０２、前記ＵＥが前記メッセージによってコンポーネントキャリア及び／又は測定対象が測定量送信トリガの条件を満足するかを判断する。
【００２４】
手順５０３、判断結果が「はい」である場合、前記UEが測定メッセージを通じて少なくとも一つのコンポーネントキャリアの測定量及び/又は少なくとも一つの測定対象の測定量を前記ネットワーク側に送信する。
【００２５】
具体的には、前記手順５０３の送信方式は下記を含む。即ち、前記UEが送信トリガ条件を満足する搬送波の統計測定量又は瞬時測定量を前記ネットワーク側に送信し、又は送信トリガ条件を満足する測定対象により指示された周波数点の統計測定量又は瞬時測定量を前記ネットワーク側に送信する。更に、前記UEも一緒にその他の搬送波の統計測定量又は瞬時測定量を前記ネットワーク側に送信し、又はその他の測定対象により指示された周波数点の統計測定量又は瞬時測定量を前記ネットワーク側に送信する。
【００２６】
前記統計測定量の取得方式は下記を含み、即ち、公式Ｆｎ＝（１−ａ）・Ｆｎ−１＋ａ・Ｍｎで取得することを含む。ここで、Ｍｎが最近物理層から受け取った測定結果であり、Ｆｎが前記統計測定量であり、Ｆｎ−１がこの前に処理された測定結果であり、第一の測定結果が物理層から受け取られる時に、Ｆ０がＭ１；ａ＝１／２（ｋ／４）であり、ｋが前記統計測定量と相応する数値であり、前記ネットワーク側により通知され、前記瞬時測定量の取得方式は物理層から受け取られた値、例えば、÷Ｍｎから取得することを含む。
【００２７】
更に、前記手順５０３のその他の送信方式は次の事項を含み、即ち、前記UEが送信トリガ条件を満足する搬送波又は測定対象により指示された周波数点の測定量を前記ネットワーク側に送信すること、及び、他の搬送波又は測定対象により指示された周波数点の中でプリセット設定を満足する搬送波又は測定対象により指示された周波数点の測定量を前記ネットワーク側に送信することを含む。前記プリセット設定は次の事項を含み、即ち、測定量が送信リストのアクセス条件を満足しているが、TimeToTriggerの時間を満足していないこと、測定量が送信トリガ条件を満足しているが、相変わらず前記送信リストにあること、又は、測定量が送信リストのアクセス条件を満足していないのと同時に、TimeToTriggerの時間を満足していないこと又はその他の設定条件を含む。
【００２８】
前記手順５０３のもう一つの送信方式は次の事項、即ち、前記UEが測定量に相応な搬送波情報及び/又は周波数点情報を前記ネットワーク側に送信し、自身の測定標識、セル標識、搬送波標識又はビットマップ情報を通じて前記搬送波情報及び/又は周波数点情報を指示し、この内に、前記測定量に相応な搬送波情報がコンポーネントキャリアの測定量で、前記測定量に相応な周波数点情報が測定対象により指示された周波数点の測定量であることを含む。
【００２９】
具体的には、測定対象により周波数点情報を指示する時多種方式、例えば、周波数点値を直接する方法、搬送波標識又はセル標識等の関連標識で周波数点値を指示する方法等を採用できる。UEが周波数点と周波数点関連索引に相応する関係を了解した時、ビットマップ等の方式で周波数点情報を指示しても良い。例えば、UEが周波数点と周波数点との相応な索引関連関係は、セル１：８５０MHz、セル２：９００MHz、セル３：９００MHz、セル４：９５０MHz、セル５：１０００MHzであることを了解する場合、指示する搬送波情報及び/又は周波数点情報はセル３：９００MHz、セル４：９５０MHz、セル５：１０００MHzである時、００１１１のビットマップ情報を使用して指示できる。
【００３０】
前記手順５０３のもう一つの送信方式は次の事項を含み、即ち、前記UEが測定参考周波数点の方式を通じて少なくとも一つのコンポーネントキャリアの測定量及び/又は少なくとも一つの測定対象の測定量を前記ネットワーク側に送信することを含む。この時に、前記UEが、前記測定参考周波数点を確定し、又は前記ネットワーク側が前記測定参考周波数点を確定し、それにより、前記測定参考周波数点を前記UEに通知する。更に、前記測定参考周波数点を確定する方式は下記を含み、即ち、測定されたコンポーネントキャリア及び/又は周波数点が同一の周波数バンドに処しているかどうかによって前記測定参考周波数点を確定することを含む。
【００３１】
本発明の実施形態１では、前記測定量が測定量、セル標識、搬送波標識、測定対象標識、プリセット設定のうちの一つ又は複数を含み、前記測定量が各搬送波又は測定対象により指示された周波数点又は測定参考周波数点の単独測定量、又は複数の搬送波或いは測定対象により指示された周波数点或いは測定参考周波数点の総合測定量である。
【００３２】
以上から、本発明によって提供された方法を使用することによって、UEが複数の搬送波及び/又は周波数点の測定量を一緒に送信できるので、送信プロセスを簡素化し、システム時間遅延を低減し、ネットワーク側でLTE-A UEの使用する搬送波の管理を実施できるようにすることが分かる。
【００３３】
本発明に係る実施形態２は、別の、搬送波アグリゲーションシステムの測定量送信方法を提供する。当該方法は、LTE-Aシステムに関するもので、LTE-Aシステムの中で、サービスセルの定義がまだ明確にされていないので、説明の理解を容易にするために、本発明の実施形態２では下記の概念を使用して説明する。
【００３４】
（１） UEのアグリゲーション搬送波。UEのアグリゲーション搬送波はネットワーク側によりLTE-A UEに分配され、搬送波アグリゲーション伝送を実施できる伝送搬送波で、当面の規範でLTE-A UEの最大のアグリゲーション搬送波数が５であると指示されていて、その中で、各アグリゲーション搬送波を一つのサービスセルと定義し、各サービスセルの所属する周波数点をすべてサービス周波数点と称しても良く、または複数のアグリゲーション搬送波が一つのサービスセルに対応しても良い。当面のLTE-Aサービスセルの概念がまだ確定されていないので、本発明の実施形態２では、直接搬送波の方式で説明し、サービスセルの概念を採用せずに説明し、次いで、サービスセルの概念が確定された後、本発明の実施形態２での内容をサービスセルと搬送波との対応関係によってサービスセルの方式で説明でき、即ち、サービスセルと搬送波の説明が本発明の実施形態２での技術方案に影響を与えない。
（２） 測定参考点（又は測定参考周波数点）。UE測定の複雑度を低減するために、本発明の実施例で測定参考点を定義し、その内に、各測定参考点がある搬送波又は周波数バンドの中心周波数点と対応してもいいし、それに、搬送波又は周波数バンドの中心周波数点と対応せず、僅か一つの指定された周波数点に対応しても良い。
本発明の実施例の中で、測定参考点を当面のアグリゲーション搬送波が所属する周波数点によって確定されてもいいし、直接設定しても良い。それに測定対象で指示された周波数点は搬送波又は周波数バンドの中心周波数点であってもいいし、測定参考点であっても良く、測定量を搬送波又は周波数バンドの中心周波数点に基づいて送信してもいいし、測定参考点に基づいて送信しても良い。
（３） UEアグリゲーション搬送波に相応な隣セル、即ち、UEアグリゲーション搬送波に相応なセル以外のその他のセル。その中で、隣セルは異なる周波数点で分布しても良い。これらの周波数点はUEアグリゲーション搬送波に相応な周波数点と同じであっても、異なっていても良く、図６に示すような隣セルの図によって分かるように、各周波数点の上に、複数の隣セルが存在する可能性がある。
【００３５】
前記概念に基づいて、図７に示すように、当該搬送波のアグリゲーションシステムの測定量送信方法は下記手順を含む。
【００３６】
手順７０１、ネットワーク側設備がUEにRRC接続再配置メッセージを送信する。当該ネットワーク側設備はE-UTRAN、RNC（Radio Network Controller、無線ネットワークコントローラ）、NB（Node B、ノードB）、eNB（evolved -Node B、進化型ノードB）、リレー（Relay）、基地局等を含むが、これらに限られない。当該ネットワーク側設備は前記設備に限らず、ネットワーク側にあるUEに測定に関する配置情報を送信する可能性のあるすべての設備は本発明の保護範囲に属する。
【００３７】
具体的には、当該RRC接続再配置メッセージで搬送された内容は下記の内容の一つ又は任意な組合せを含むが、これに限定されない。
【００３８】
a） 測定対象（measurement object）：周波数点を基本単位として、各配置された測定対象を一つの単独な周波数点（測定参考周波数点であってもよい）として、単独な測定対象標識（ID）を持ち、測定対象で搬送波周波数、隣セルのモノクロ名簿、CGIに送信するセル等の内容を指示できる。
b） 送信配置（report configuration）：トリガタイプは事象トリガ送信と周期トリガ送信とに分けて、各送信配置は単独のIDを持つ。事象トリガタイプの送信配置は、ある事象の閾値とトリガ条件とを満足する持続時間（Time to Trigger）等の情報を配給するが、周期トリガタイプの送信配置は周期トリガの目的（例えば、送信CGI）等を配給する。当該送信配置は、トリガ測定量、送信測定量、送信間隔、回数等の情報も含む。
c） 測定標識（ID）：各測定標識は、一つの測定対象と送信配置とを同時に接続でき、同時に複数の測定対象と一つの送信配置とを接続できる。起動で測定された閾値に達すると、UEは測定標識の有無によって、この種類の測定を行うかを判断する。
d） その他のパラメータ：測定量配置、測定起動閾値及び速度状態パラメータ等のその他のパラメータを含む。
【００３９】
手順７０２、UEが当該RRC接続再配置メッセージによって測定量がトリガ送信の条件を満足するかを判断し、判断結果が「はい」である場合、手順７０３を実行し、さもなければ、フローを終了する。当該測定量は測定対象に指示された周波数点及び/又はコンポーネントキャリアであっても良い。
【００４０】
具体的には、UEに複数の測定対象を配置した時、本手順で複数の測定対象がトリガ送信条件を満足するか及び/又は、UEに複数のコンポーネントキャリアを配置した時、本手順で複数のコンポーネントキャリアがトリガ送信の条件を満足するかを判断する必要がある。
【００４１】
本発明の実施例では、測定送信に三種類のトリガ方式があり、それぞれ事象トリガ送信、周期トリガ送信、及び事象トリガ周期送信であり、前記三種類のトリガ方式はRRC接続再配置メッセージ中での送信配置での各種パラメータの組合せによって区分できる。事象トリガタイプの送信配置はある事象の閾値及びトリガ条件を満足する持続時間等の情報を配給するが、周期トリガタイプの送信配置は、周期トリガの目的（例えば、送信CGI）等の情報を配給する。
【００４２】
更に、複数の測定対象がトリガ送信の条件を満足するか及び/又は複数のコンポーネントキャリアがトリガ送信の条件を満足するかを判断するプロセスは下記を含む。
【００４３】
（a） 測定評価、即ち、UEがある測定対象及び/又はあるコンポーネントキャリアで送信配置を満足する搬送波を測定して探し、それを評価し、搬送波が一定時間内でアクセス条件を満足する時、送信リストに含まれる。一旦新しい搬送波が送信リストに入ると、送信プロセスをトリガする。
（b） 組織送信、即ち、測定メッセージを記入する時、測定標識、UEアグリゲーション搬送波に相応な測定量、隣セルの測定量を記入する必要がある。隣セルの測定量の取得プロセスは、測定評価中での送信リストに含まれるセルを配置で指定された送信測定量によって品質順序付けを行い、高から低までの順序で測定メッセージを記入する。
【００４４】
具体的には、送信リストに含まれる隣セルの数量は下記の幾つかの条件により決められる。１）送信リストのアクセス条件、即ちあるセルの測定量がアクセス準則（例えば、当該セルの信号品質がある閾値より大きい）に達する場合。２）送信リストの離れ条件：あるセルの測定量が離れ準則（例えば、当該セルの信号品質がある閾値より小さい）に達する場合。３）セルが送信リストに含まれる条件：あるセルが一定時間内で送信リストのアクセス条件を満足する場合、送信リストに含まれる。４）セルが送信リストから削除される条件：あるセルが一定時間内で送信リストの離れ条件を満足する場合、送信リストから削除される。その中で、UEが送信する時、相変わらず送信リストに残っているすべての隣セルをネットワークに送信しても良く、当該セルがこの前の送信プロセスで送信されたかどうか考えなくても良い。
【００４５】
手順７０３、UEは同じ項目の測定送信メッセージで複数のアグリゲーションするコンポーネントキャリアの測定量、及び/又は、複数の測定対象により指示された周波数点の上に測定送信条件を満足する隣セルの測定量を同時に送信すること。
【００４６】
具体的には、当該複数のアグリゲーションするコンポーネントキャリアの測定量、及び/又は、複数の測定対象により指示された周波数点の上に測定送信条件を満足する隣セルの測定量のプロセスを測定参考点の方式で送信しても良い。
【００４７】
更に、一つのコンポーネントキャリアが送信条件を満足して送信を行う場合、その他の搬送波の上で相応な測定量の取得方式が次を含むが、これらに限られない。（１）その他の搬送波の上に送信された測定量が瞬時測定量である。（２）その他の搬送波の上に送信された測定量が統計測定量である。例えば、タイマー又はフィルターにより平滑化された結果である。
【００４８】
説明を要することとしては、各測定メッセージが複数のアグリゲーションするコンポーネントキャリアの測定量、及び/又は、複数の測定対象により指示された周波数点上で測定送信条件を満足する隣セルの測定量を同時に搬送しても良く、当該測定送信メッセージに搬送される内容は下記内容の一つ又は任意的な組合せを含むが、これらに限られない。
【００４９】
a） 測定標識（ID）。
b)  搬送波標識。
c） 測定対象により指示された周波数点標識。
d） 各測定量。例えば、RSRP（Reference Signal Received Power、参考信号受信パワー）とRSRQ（Reference Signal Received Quality、参考信号受信品質）。
e） 条件を満足する隣セルの物理層セルID（PCI）。
f） 各隣セルの測定量とCGIを送信するかどうかは、ネットワークがこれらの情報を送信するようUEを配置するかどうかにより決められる。
【００５０】
本発明の実施例に記載された技術方案を一層明らかに説明するために、これから幾つかの種類の具体的な応用例を運用して前記の測定送信プロセスに対して更なる説明を行う。
【００５１】
応用例１は、UEに複数のコンポーネントキャリアを配置し、測定送信を行う時に、複数のコンポーネントキャリアの情報を送信する応用例である。
【００５２】
当該応用例では、ネットワーク側がUEに四つのコンポーネントキャリアを配置した（実際のニーズによって調整できる）、それぞれCC１（コンポーネントキャリア１）、CC２、CC３、CC４である。その中で、CC１に関する測定事象（例えば、A２事象等）が（測定）送信トリガの条件を満足すると、実際のニーズによって、UEはCC１、CC２、CC３、CC４の相応な測定量を同時に送信する。当該測定量は、参考信号にパワーRSRP値を受け取り、参考信号に品質RSRQ値を受信する等。
【００５３】
具体的には、当面のLTE規範で、送信トリガの条件は測定事象送信リストに入るアクセス条件を満足し、TimeToTrigger的時間を満足することを含む。LTE-Aで、送信トリガ条件はその他の内容を追加でき、本発明の実施例では詳細に述べない。送信の条件が測定事象送信リストに入るアクセス条件で、TimeToTrigger時間を満足することを例として説明する。例えば、CC1、CC2、CC3、CC4が全部測定事象（例えば、A２事象）送信リストに入るが、CC１が送信条件を満足（即ち、同時にTimeToTriggerの時間を満足する）する場合、当該UEはCC１、CC２、CC３、CC４の相応な測定量を同時送信できる。
【００５４】
実際の応用例では、プリセットの条件（例えば、測定量が送信リストのアクセス条件を満足しているが、TimeToTriggerの時間を満足していないこと、測定量が送信条件を満足しているが、相変わらず前記送信のリストにあること、測定量が送信リストのアクセス条件を満足していないと同時に、TimeToTriggerの時間を満足していないこと、又は、その他の設定条件等）によって送信しても良く、測定量送信メッセージを通じて送信する際に、プリセット条件を満足するコンポーネントキャリアの情報を送信するだけで良い。例えば、プリセットされた条件は、送信リストのアクセス条件（同じ測定事象に相応な）を満足するが、TimeToTriggerの時間を満足していないコンポーネントキャリアの測定量を送信するよう要求する場合、UEアグリゲーションする四つのコンポーネントキャリアの中で、送信リストのアクセス条件を満足するコンポーネントキャリアがCC１とCC２であり、CC２だけトリガ送信条件を満足する場合、送信時に、CC１とCC２の測定量情報を送信するだけで良い。
【００５５】
説明しなければならないのは、前記送信条件を満足しているが、相変わらず前記送信リストにある状況が具体的に次の通りである。CC１がトリガ送信条件を満足する時、CC１の測定量を送信する必要がある。CC１が送信リストの離れ条件を満足するまで、CC１が送信リストにある。後続のプロセスで、CC２がまたトリガ送信条件を満足する場合、CC２の測定量を送信する必要がある。但し、この時CC１が送信リストにあるので（即ち、送信条件を満足するが、相変わらず送信リストにある）、当該CC１の測定量がこの前送信されたことにも関わらず、CC１の測定量を同時に送信しても良い。
【００５６】
応用例２は、UEに複数の測定対象を配置して、測定送信を行う時に、複数の測定対象の情報を送信する応用例である。
【００５７】
当該応用例ではネットワーク側がUEに三つの測定対象を配置し、測定対象に相応な周波数点情報及びUEの測定結果は表１で示す。
【００５８】
【表１】
0005592500.tif 000002
【００５９】
注１は、当該セルが対応する周波数点送信リストに含まれていることを表し、注２は、当該セルが送信トリガの部分条件（例えば、対応する周波数点送信リストに入るアクセス条件を満足しているが、TimeToTriggerの時間を満足していない）を満足することを表す。注３は、当該セルが如何なるトリガ送信条件を満足しないことを表す。表１の中で、CIDは物理層セル標識PCIであってもいいし、グローバルセル標識CGIであってもいいし、又はその他のセルを標識できる標識であっても良い。
【００６０】
UEに複数の測定対象を配置した応用例に対して、２つの場合に分けて説明する。
【００６１】
第１の場合：測定周波数点f１でのCID１に対して、当該セルがすでに相応な周波数点の送信リストに含まれているので、現行のLTEフローによって、測定周波数点f１でのCID１が送信プロセスをトリガする。この時にネットワーク側で隣セルの測定量とCGIとを送信するようUEを配置していない場合、UEの送信情報が測定標識、UEサービスセルの測定量と隣セルの物理層ID（CID１）とである。ネットワーク側がCID１と同じセル標識のあるセル（これとアグリゲーションできるセル）のその他の二つの測定周波数点f２及びf３の測定量情報を取得したい場合、引き続き待つ必要がある。それに、f２とf３上の相応なセルが送信リストに入る時になってから、初めてUEが送信できる。
【００６２】
本発明の実施例の中で、測定周波数点f１でのCID１は送信プロセスをトリガする。この時、ネットワーク側が各隣セルの測定量とCGIとを送信するようUEを配置していない場合、UE送信の内容は次の内容、即ち、測定標識、UEアグリゲーション搬送波標識、UEにより使用されるアグリゲーション搬送波での一つ又は複数のアグリゲーション搬送波（又はアグリゲーション搬送波の相応なセル）の測定量、f１での送信条件を満足する隣セル（CID１）測定量、関連測定標識又は周波数点情報（f２）及び相応なCID１測定量、関連測定標識或は周波数点情報（f３）及び相応なCID１測定量を含むが、これらに限られない。
【００６３】
具体的には、f２とf３の測定量を送信する時、測定標識を搬送せず、その代わりに、周波数点情報、ビットマップ方式又は送信の測定量位置等のその他の方式でネットワーク側により送信された複数の測定量の相応な周波数点を通知する。
【００６４】
これから見ると、本発明の実施例中、f２とf３でのCID１が送信リストに入っていないが、UEがCID１を周波数点f１、f２、f３での測定量をメッセージでネットワーク側に送信することによって、ネットワーク側にCID１に関する十分な情報が提供されるので、ネットワーク側の切り替え判断に有利であると分かる。
【００６５】
これと同じように、応用例１と類似して、当該応用例では、プリセットの条件によって送信しても良い。測定送信メッセージで送信する場合、プリセット条件を満足する複数の周波数点の測定量を送信するだけで良い。ここでは、詳細を述べない。当該プリセット条件は次の事項、即ち、測定量が送信リストのアクセス条件を満足しているが、TimeToTriggerの時間を満足していないこと、測定量がトリガ送信条件を満足しているが、相変わらず前記送信のリストにあること、又は、測定量が送信リストのアクセス条件を満足していないと同時に、TimeToTriggerの時間を満足していないことをを含むが、これに限られない。
【００６６】
説明しなければならないのは、前記送信条件を満足しているが、相変わらず送信リストにある状況は具体的に下記の通り、即ち、測定対象により指示された周波数点（例えば、f２）での送信リストに残っているセルがすでに送信されたセルで、周波数点f１にトリガ送信条件を満足するセルが出る時、周波数点f１の相応なセルの測定量を送信する必要があるが、この時f２の送信リストにも、相応な送信条件を満足するセル（即ち、送信条件を満足しているが、相変わらず送信リストに残っている）がある場合、この時、周波数点f２の相応なセルの測定量を同時に送信しても良い。
【００６７】
第２の場合：測定周波数点f１でのCID１に対して、現行のLTEフローによって、測定周波数点f１でのCID１は送信プロセスをトリガする。この時にネットワーク側で隣セル測定量とCGIを送信するようUEを配置していない場合、UEの送信情報が測定標識、UEサービスセルの測定量と隣セル物理層ID（CID１）である。ネットワーク側がCID１と同じセル標識のあるセル（これとアグリゲーションできるセル）のその他の二つの測定周波数点f２及びf３の測定量情報を取得したい場合、引き続き待つ必要がある。F２とf３上の相応なセルが送信リストに入る時になって、初めてUEが送信できる。
【００６８】
本発明の実施例の中で、測定周波数点f１でのCID１は送信プロセスをトリガする。この時、ネットワーク側が、各隣セルの測定量とCGIとを送信するようUEを配置していない場合、UEの送信内容は、次の項目、即ち、測定標識、UEの使用するアグリゲーション搬送波中の一つ又は複数のアグリゲーション搬送波（又はアグリゲーション搬送波の相応なセル）の測定量、隣セル物理層ID（CID1）、関連測定標識又は周波数点情報（f２）及びこの上条件を満足する隣セル（CID３）の測定量、関連測定標識又は周波数点情報（f３）及びその上の関連隣セル（CID２、CID５）の測定量を含むが、これに限られない。
【００６９】
具体的には、f２とf３の測定量を送信する時、測定標識を搬送せず、その代わりに、周波数点情報、ビットマップ方式又は送信の測定量位置等のその他の方式でネットワーク側により送信された複数の測定量の相応な周波数点を通知する。
【００７０】
これから見ると、本発明の実施例中、f２とf３でのセルが送信リストに入っていないが、UEが周波数点f１、f２、f３での測定量を一つの送信メッセージでネットワーク側に送信することによって、ネットワーク側にUEに関する隣セルの十分な情報を提供するので、ネットワーク側の切り替え判断に有利であることが分かる。
【００７１】
実際、応用例では、f２、f３での条件を満足する隣セルを送信する時に、当該条件を実際のニーズによって任意に設置しても良く、例えば、当該条件を下記の事項、即ち、１）測定量が送信リストのアクセス条件を満足しているが、TimeToTriggerの時間を満足していないこと、２）測定量がトリガ送信条件を満足しているが、相変わらず前記送信リストにあること、３）測定量が送信リストのアクセス条件を満足していないと同時に、TimeToTriggerの時間を満足していないこと、又は、４）その他の設定条件等に設定しても良い。送信する時に、条件を満足する複数の周波数点の情報を送信するだけで良いから、ここで詳細には述べない。以上から見ると、前記プロセスはリストのアクセス条件を満足しているが、TimeToTriggerの時間（即ち、表１での注２）を満足していないことを例として説明したもので、即ち、送信の条件を満足する複数の周波数点の情報が、関連測定標識又は周波数点情報（f２）、及びその上の条件を満足する隣セル（CID３）の測定量、関連測定標識又は周波数点情報（f３）及びその上の関連隣セル（CID２、CID５）の測定量等を含むことが分かる。
【００７２】
応用例３は、UEに複数の搬送波と複数の測定対象とを配置して、測定量送信を行う時に、複数の測定対象の情報と複数の搬送波の情報とを送信する応用例である。
【００７３】
当該応用例では、ネットワーク側はUEに四つのコンポーネントキャリアを配置し、それぞれCC１、CC２、CC３、CC４である。ネットワーク側はUEに三つの測定対象を配置し、測定対象の相応な周波数点情報及びUEの測定結果は表２で示すようである。
【００７４】
【表２】
0005592500.tif 000003
【００７５】
注１は、当該セルが相応な周波数点のCC1測定事象に対する送信リストに含まれていることを表し、注２は、当該セルが相応な周波数点のCC１測定事象に対する送信トリガの部分条件（例えば、測定事象に相応な送信リストに入るアクセス条件を満足しているが、TimeToTriggerの時間を満足していない）を満足することを表す。注３は、当該セルが相応な周波数点のCC１測定事象に対する如何なるトリガ送信条件を満足しないことを表す。表２の中で、CIDは物理層セル標識PCIであってもいいし、グローバルセル標識CGIであってもいいし、又はセル標識であっても良い。
【００７６】
本発明の実施例の中で、測定周波数点f１でのCID１は送信プロセスをトリガする。この時に、ネットワーク側が各隣セルの測定量とCGIとを送信するようUEが構成されていない場合、UE送信の内容は次の内容、即ち、測定標識、UEにより使用される複数のアグリゲーション搬送波（又はアグリゲーション搬送波の相応なセル）の測定量、周波数点f１での送信条件を満足する隣セルの測定量、周波数点f２での条件を満足する隣セルの測定量、周波数点f３での条件を満足する隣セルの測定量を含むが、これらに限られない。
【００７７】
具体的には、本応用例では、測定標識、周波数点情報、ビットマップ方式又は送信測定量の位置等方式でネットワーク側により送信された複数の測定量の相応な周波数点を通知できる。この時、f２、f３でのセルが送信リストに入っていない。F１がCID１だけに対して送信をトリガするが、UEが自分のすべてのアグリゲーション搬送波の測定量、周波数点f１、f２、f３での相応な条件を満足する隣セルの測定量を一つの送信メッセージでネットワーク側に送信することによって、ネットワーク側の切り替え判断に有利にする。
【００７８】
実際の応用例では、f２、f３での条件を満足する隣セルで送信する時に、当該条件を下記の事項、即ち、１）リストのアクセス条件を満足しているが、TimeToTriggerの時間を満足していないこと、２）送信条件を満足しているが、相変わらず送信のリストにあること、３）測定量が送信リストのアクセス条件を満足していないと同時に、TimeToTriggerの時間を満足していないこと、又は、４）その他の設定条件等に設定しても良い。送信する時に、条件を満足する複数の周波数点の情報を送信するだけで良いので、ここでは詳細には述べない。
【００７９】
応用例４は、測定参考周波数点の方式で複数の搬送波及び/又は複数の測定対象の情報を送信することに相応な応用例である。多搬送波システムで、測定参考周波数点の方式による送信をサポートする場合、本発明により提供された技術方案を採用して相応な処理を行える。
【００８０】
第１の場合：コンポーネントキャリアが測定参考周波数点の方式を採用して送信を行うこと。
【００８１】
当該応用例では、ネットワーク側がUEに四つのコンポーネントキャリアを配置し、それぞれCC１、CC２、CC３、CC４で、それに前記の四つのコンポーネントキャリアが測定及び測定送信を行う時に、根拠とする三つの測定参考点がそれぞれP１、P２、P３である。測定参考点を実際ニーズによって選択するだけで良い。例えば、測定されたコンポーネントキャリア及び/又は周波数点が同一の周波数バンドに処しているかどうかによって前記測定参考周波数点を確定する。
【００８２】
具体的には、測定参考点の確定方式は下記状況の一つ又は複数の組合せを含むが、これに限られない。
【００８３】
（１） 各コンポーネントキャリアを測定参考周波数点とする。
（２） コンポーネントキャリアからの一つ又は複数を任意に選択して測定参考周波数点とする。
（３） 連続的な搬送波に対して、その中の一つだけ選択して測定参考周波数点とする。
（４） プリセット設定によって測定参考周波数点を確定する。例えば、測定量送信の出費を低減するために、複数の搬送波又は複数の周波数点に対して一つの同じ測定参考周波数点を確定しても良い。例えば、複数の搬送波相応な周波数点を平均化し、得られた周波数点値を測定参考周波数点と設定しても良い。
【００８４】
説明しなければならないのは、UEが自分で測定参考周波数点を確定し、当該測定参考周波数点によって相応な送信プロセスを実施しても良い。実際の応用例では、ネットワーク側が当該測定参考周波数点を確定してから、UEに通知しても良い。ネットワーク側が測定参考周波数点をUEに通知する方式は１）システム放送の方式、２）専用信号経路方式を含むが、これに限られない。当該専用信号経路は具体的には次の事項を含み、即ち、RRC信号経路、MAC（Media Access Control、媒体アクセス制御）CE（Control Element、制御ユニット）情報、物理層信号経路等を含む。
【００８５】
UEが自分で当該測定参考周波数点を確定し、及び/又はネットワーク信号経路を通じて当該測定参考周波数点情報を取得した後、当該測定参考周波数点の方式で測定量情報を送信する。当該送信プロセスは応用例１でのコンポーネントキャリアを単位とする送信プロセスと類似する（相違点が測定参考周波数点の形式で送信することだけである）、ここでは詳細に述べない。
【００８６】
これと同じように、当該応用例では、条件を設定し（例えば、満足送信リストのアクセス条件を満足しているが、TimeToTriggerの時間を満足していない、又は、送信条件を満足しているが、相変わらず送信リストに残っている）、送信しても良く、測定メッセージで送信する時に、条件を満足する複数の測定参考周波数点の測定量情報を送信するだけで良い。
【００８７】
説明しなければならないのは、送信時測定参考周波数点の相応な測定量情報について、UEが直接測定参考周波数点に指示した周波数点を測定して取得した測定量情報であってもいいし、測定参考周波数点が複数の搬送波により確定された時、まず各搬送波相応な測定量情報を確定し、これから各搬送波により得られた測定量情報によって計算して測定参考周波数点相応な測定量情報を取得しても良い。
【００８８】
また、トリガ送信時に、測定参考周波数点を直接送信トリガの周波数点としても良い。下記のことでもよく、即ち、測定参考周波数点が複数の搬送波評価情報を測定する時、ある又は一部分の搬送波により送信をトリガすることによって、（測定参考周波数点の方式で）送信することを引き起こす。
【００８９】
第２の場合：測定対象が測定参考周波数点の方式で指示及び/又は送信を行う。
【００９０】
当該応用例では、ネットワーク側がUEに四つの測定対象を配置し、前記四つの測定対象をそれぞれP１、P２、P３という三つの測定参考点に基づいて測定送信を行う。測定参考点選択の際に、測定されたコンポーネントキャリア及び/又は周波数点が同一周波数バンドにあるかどうかによって当該測定参考点を確定し、その内容は次の事項を含み、即ち、（１）各コンポーネントキャリアを測定参考周波数点とする。（２）コンポーネントキャリアからの一つ又は複数を任意に選択して測定参考周波数点とする。（３）連続的な搬送波に対して、その中の一つだけ選択して測定参考周波数点とする。（４）プリセット設定によって測定参考周波数点を確定することを含む。
【００９１】
具体的には、測定参考周波数点について、UEが自分で確定し、当該測定参考周波数点によって相応な送信プロセスを行っても良い。実際応用例中、ネットワークが当該測定参考周波数点を確定し、UEに通知しても良い。ネットワーク側が測定参考周波数点をUEに通知する方式は１）システム放送の方式、及び２）専用信号経路の方式を含むが、これらに限られない。当該専用信号経路が具体的に、下記の内容、即ち、RRC信号経路、MAC制御ユニット（CE）情報、物理層信号経路等を含む。
【００９２】
UEが自分で当該測定参考周波数点を確定し、及び/又はネットワーク信号経路を通じて当該測定参考周波数点情報を取得した後、当該測定参考周波数点の方式で測定量情報を送信する。当該送信プロセスは応用例2での測定周波数点トリガ送信のプロセスと類似するので（相違点が測定参考周波数点の形式で送信することだけである）、ここでは詳細に述べない。
【００９３】
第３の場合：コンポーネントキャリアが測定参考周波数点の方式を採用して送信し、それに測定対象が測定参考周波数点の方式で指示及び/又は送信を行う。当該プロセスは応用例３での送信プロセスと類似するので（相違点が測定参考周波数点の形式で送信することだけである）、ここでは詳細に述べない。
【００９４】
応用例５では、当該応用例に結びついて複数の搬送波及び/又は複数の測定対象の情報送信時に、各搬送波又は測定対象での測定量の確定方式に対して更なる説明を行う。
【００９５】
具体的には、一つのコンポーネントキャリア又は測定対象が送信条件を満足して送信する場合、各搬送波又は測定対象での測定量は二種類の方式で確定しても良い。
【００９６】
（１） コンポーネントキャリア又は測定対象での送信する測定量が瞬時測定量である。
（２） コンポーネントキャリア又は測定対象での送信する測定量が統計測定量であり、例えば、タイマー又はフィルターにより平滑化された結果である。
【００９７】
例えば、コンポーネントキャリア１（CC１）で関連する測定事象が送信トリガ条件を満足する時に、CC１、CC２、CC３、CC４に相応な測定量を同時に送信できる。CC１を送信する時に、送信する測定結果が統計値であり、当該統計値の取得方式はLTEシステムでの方式を採用し、具体的には下記の通りである。
【００９８】
Ｆｎ＝（１−ａ）・Ｆｎ−１＋ａ・Ｍｎ
ここで、Ｍｎは物理層から最近受け取られた測定結果である。
【００９９】
Ｆｎは最新の処理された測定結果で、当該値は測定送信に応用されても良い。
【０１００】
Ｆｎ−１はこの前に処理された測定結果で、第一の測定結果が物理層から受け取られた時に、当該Ｆ０がＭ１と設定される。
【０１０１】
ａ＝１／２（ｋ／４）、当該ｋは測定量と対応する数値で、ネットワーク側により通知されても良い。
【０１０２】
勿論、実際の応用例では、その他の方式で統計値を発生させても良いので、本発明の実施例では詳細には説明しない。
【０１０３】
CC２、CC３、CC４で送信された測定量に対して統計値を採用してもいいし、瞬時値を採用しても良い。当該瞬時値は、物理層から直接受け取られた値であり、例えば、Ｍｎである。
【０１０４】
従って、本発明によって提供された方法を使用することによって、UEが複数の搬送波及び/又は周波数点の測定量を一緒に送信できるので、送信プロセスを簡素化し、システム時間遅延を低減し、ネットワーク側でLTE-A UEの使用する搬送波の管理を実施できるようにする。
【０１０５】
図８に示すように、本発明の実施形態２により提供された一種の搬送波アグリゲーションシステムの測定量送信設備で、下記構成、即ち、
ネットワーク側からのメッセージを受信するための受信モジュール８１と、
前記受信モジュール８１により受信されたメッセージによってコンポーネントキャリア及び/又は測定対象が測定量送信トリガ条件を満足するか判断するための判断モジュール８２と、
前記判断モジュール８２の判断結果が「はい」である場合、測定量送信メッセージを通じて少なくとも一つのコンポーネントキャリアの測定量及び/又は少なくとも一つの測定対象の測定量を前記ネットワーク側に送信するための送信モジュール８３とを含む。
【０１０６】
具体的には、前記送信モジュール８３は具体的に次の事項、即ち、トリガ送信条件を満足する搬送波又は測定対象により指示された周波数点の統計測定量又は瞬時測定量を前記ネットワーク側に送信すること、及び他の搬送波又は測定対象より指示された周波数点の統計測定量又は瞬時測定量を前記ネットワーク側に送信することに使用される。
【０１０７】
前記送信モジュール８３も下記の事項、即ち、送信トリガ条件を満足する搬送波又は測定対象により指示された周波数点の測定量を前記ネットワーク側に送信すること、及び他の搬送波又は測定対象により指示された周波数点の中でプリセット設定を満足する搬送波又は測定対象により指示された周波数点の測定量を前記ネットワーク側に送信することに使用される。前記プリセット設定は下記の事項、即ち、１）測定量が送信リストのアクセス条件を満足しているが、TimeToTriggerの時間を満足していないこと、２）測定量がトリガ送信条件を満足しているが、相変わらず前記送信のリストにあること、３）測定量が送信リストのアクセス条件を満足していないと同時に、TimeToTriggerの時間を満足していないこと、又は４）その他の設定条件等に設定しては良いことを含む。
【０１０８】
前記送信モジュール８３も、測定量に相応な搬送波情報及び/又は周波数点情報を前記ネットワーク側に送信し、自身の測定標識、セル標識、搬送波標識又はビットマップ情報を通じて前記搬送波情報及び/又は周波数点情報を指示することに応用される。前記測定量相応な搬送波情報がコンポーネントキャリアの測定量で、前記測定量に相応な周波数点情報が測定対象により指示された周波数点の測定量である。
【０１０９】
前記送信モジュール８３も、測定参考周波数点の方式を通じて少なくとも一つのコンポーネントキャリアの測定量及び/又は少なくとも一つの測定対象の測定量を前記ネットワーク側に送信することに使用される。前記測定参考周波数点の取得方式は次の事項を含み、即ち、前記UEにより確定された前記測定参考周波数点又は前記ネットワーク側により確定・通知された前記測定参考周波数点を含む。前記測定参考周波数点確定の方式は次の事項を含み、即ち、測定されたコンポーネントキャリア及び/又は周波数点が同一の周波数バンドに処しているかどうかによって前記測定参考周波数点を確定することを含む。
【０１１０】
本発明の実施例の中で、前記測定量が測定量、セル標識、搬送波標識、測定対象標識、プリセット設定のうちの一つ又は複数のものを含み、前記測定量が各搬送波又は測定対象により指示された周波数点又は測定参考周波数点の単独測定量、又は複数の搬送波或いは測定対象により指示された周波数点或いは測定参考周波数点の総合測定量である。
【０１１１】
本実施例では、本発明の装置の各モジュールを一体に集積してもいいし、分離して配置しても良い。前記各モジュールを一つのモジュールを合併してもいいし、さらに複数のサブ・モジュールに分解しても良い。
【０１１２】
従って、本発明の方法を使用することによって、UEが複数の搬送波及び/又は周波数点の測定量を一緒に送信できるので、送信プロセスを簡素化し、システム時間遅延を低減し、ネットワーク側でLTE-A UEの使用する搬送波の管理を実施できるようにする。
【０１１３】
前記の説明を通じて、本技術分野の技術者は、ソフトウェアの上に必要な通用ハードウエアのプラットフォームを加える方式で本発明を実現することができることを明確に理解できる。勿論、ハードウエアを通じても実現できるが、多くの状況下で前者はより良い実施方式である。このような理解に基づいて、本発明の技術方案をソフトウェア製品という形で表すことができて、当該ソフトウェア製品を記憶媒体に記憶することができて、若干の指令を含んで、一台のコンピューター設備（PC、サーバー、ネットワーク設備など）に本発明の各実施形態の前記方法を実行させる。
【０１１４】
本技術分野の技術者が理解できるように、添付図面は一つの最適化された実施例の図だけで十分であり、添付図面でのモジュール又はフローは本発明の実施に必要なものではない。
【０１１５】
本技術分野の技術者が本実施形態に係る装置のモジュールを理解し、実施形態の説明通りに実施形態に係る装置に配分することができる。また、実際の状況に合わせて実施し、本実施形態と異なる一つ、あるいは複数の装置に配分することもできる。前記の実施形態のモジュールを一体に集成しても良いが、複数のサブモジュールにしても良い。
【０１１６】
本発明の実施形態の番号は説明上の利便性のためであり、実施例としての優劣を意味しない。
【０１１７】
以上記載されたものは本発明の幾つかの具体例だけであり、本発明はこれに限らず、本技術分野の技術者が想定可能な変化は全部、本発明の保護範囲に属すべきである。
【図１】
0005592500.tif 000004
【図２】
0005592500.tif 000005
【図３】
0005592500.tif 000006
【図４】
0005592500.tif 000007
【図５】
0005592500.tif 000008
【図６】
0005592500.tif 000009
【図７】
0005592500.tif 000010
【図８】
0005592500.tif 000011